(57)【要約】【課題】  ＳＩＰ仕様のインターホン用プロトコルを使用して、電話端末からでもインターホン子機からの呼び出しに応答でき、而も応答操作前に映像を見ることができるテレビインターホンシステムを提供する。【解決手段】  ＩＰ変換アダプタ３は、電話番号を記憶する電話番号記憶部３ａと、インターホン用ＳＩＰとインターホンコマンドを相互変換するコマンド変換手段３ｂを有し、インターホン親機２とはインターホンコマンドで通信すると共に、ホームゲートウェイ５との間でインターホン用ＳＩＰで通信を実施する。ホームゲートウェイ５は、モニタ付電話端末４との通信を電話用ＳＩＰかインターホン用ＳＩＰで行うが、インターホン子機１とモニタ付電話端末との通信はインターホン用ＳＩＰで行い、モニタ付電話端末４には電話用ＳＩＰとインターホン用ＳＩＰとの双方の通信機能を具備させた。【選択図】  図１
2009182842.tif 000002
【特許請求の範囲】
【請求項１】
居住者を呼び出して通話する機能及び来訪者を撮像するカメラを備えたインターホン子機と、前記インターホン子機からの呼び出しに応答する機能及び前記カメラの撮像映像を表示するモニタを備えたインターホン親機と、前記インターホン親機に接続されて通信信号をＩＰ変換するＩＰ変換アダプタと、映像を表示可能なモニタを備えて公衆電話網を介して他の電話端末と通信が可能なモニタ付電話端末と、前記ＩＰ変換アダプタに前記モニタ付電話端末を接続するためのホームゲートウェイとを備え、
前記ＩＰ変換アダプタは、前記モニタ付電話端末を選択するための電話番号を記憶する電話番号記憶部と、前記インターホン親機とインターホンコマンドで通信する一方、前記ホームゲートウェイとはインターホン用ＳＩＰで通信して、前記インターホンコマンドと前記インターホン用ＳＩＰを相互変換するコマンド変換手段を有し、
前記ホームゲートウェイは、前記モニタ付電話端末の通信プロトコルが電話用ＳＩＰか前記インターホン用ＳＩＰかを前記モニタ付電話端末に対して通知する機能を有すると共に、前記モニタ付電話端末は、通信プロトコルが電話用ＳＩＰと前記インターホン用ＳＩＰとの双方の通信機能を有する一方、前記モニタ付電話端末は、通話路形成制御及び映像出画制御を行う応答制御手段を有し、
前記インターホン子機から送信された呼出信号は、インターホン用ＳＩＰの呼出信号に変換されて前記モニタ付電話端末へ送信され、前記呼出信号を受信した前記モニタ付電話端末から返信された受信信号は、インターホン用ＳＩＰで前記ＩＰ変換アダプタに返信され、
前記受信信号を受けた前記ＩＰ変換アダプタは、前記インターホン親機から送信されている呼出音、映像信号を前記モニタ付電話端末に送信し、前記呼出信号を受けた前記モニタ付電話端末の前記応答制御手段は、前記呼出音を鳴動させると共に前記モニタに映像を表示させることを特徴とするテレビインターホンシステム。
【請求項２】
前記ホームゲートウェイは、前記モニタ付電話端末から他のモニタ付電話端末に対して呼出信号が送信されたら、送信先の前記モニタ付電話端末に対して電話用ＳＩＰを用いることを通知した後に呼出信号を送信し、
送信先の前記モニタ付電話端末の前記応答制御手段は、呼出信号を受信したら呼出音を鳴動させると共に、呼出元の前記モニタ付電話端末の電話番号等の相手先情報を前記モニタに表示し、前記呼出信号に付随して映像信号が有る場合は、応答操作がなされた後に映像をモニタに表示する制御を行い、前記モニタ付電話端末同士は電話用ＳＩＰで通信が成されることを特徴とする請求項１記載のテレビインターホンシステム。
【請求項３】
前記モニタ付電話端末は、携帯電話であることを特徴とする請求項１又は２記載のテレビインターホンシステム。
【発明の詳細な説明】
【技術分野】
【０００１】
本発明は、来訪者を映像で確認しながら通話できるテレビインターホンシステムに関し、詳しくは住戸内に設置したインターホン親機以外に、モニタ付電話端末からでも来訪者映像を見ながら応答できるテレビインターホンシステムに関する。
【背景技術】
【０００２】
従来のテレビインターホンシステムにおいて、携帯電話等他の通信機器と通話を可能として、インターホン親機以外の機器を使用してインターホン子機からの呼び出しに対して来訪者映像を見ながら応答を可能としたシステムがある。例えば、特許文献１のシステムは、インターホン子機にインターネットを介して外部親機、或いは電話回線を介して携帯電話を接続可能とし、インターホン子機からの呼び出しに対して外部機器を使用して映像付通話を実施する構成が開示されている。
【特許文献１】特開２００６−１５７６５０号公報
【発明の開示】
【発明が解決しようとする課題】
【０００３】
しかしながら、上記特許文献１のシステムの場合、応答操作して通話に入らなければ来客者の映像を確認することができなかった。また、通信網に接続するためのネットワーク接続装置の構成が複雑であったし、独自のプロトコルにより通信する必要があるため、外部親機の設定に汎用性がなく、通常の電話用ＳＩＰにより通信可能な電話端末を接続しても対応できなかった。
【０００４】
そこで、本発明はこのような問題点に鑑み、ＳＩＰ仕様のインターホン用プロトコルを使用して、電話端末からでもインターホン子機からの呼び出しに応答でき、而も応答操作前に映像を見ることができるテレビインターホンシステムを提供することを目的とする。
【課題を解決するための手段】
【０００５】
上記課題を解決する為に、請求項１の発明は、居住者を呼び出して通話する機能及び来訪者を撮像するカメラを備えたインターホン子機と、インターホン子機からの呼び出しに応答する機能及びカメラの撮像映像を表示するモニタを備えたインターホン親機と、インターホン親機に接続されて通信信号をＩＰ変換するＩＰ変換アダプタと、映像を表示可能なモニタを備えて公衆電話網を介して他の電話端末と通信が可能なモニタ付電話端末と、ＩＰ変換アダプタにモニタ付電話端末を接続するためのホームゲートウェイとを備え、ＩＰ変換アダプタは、モニタ付電話端末を選択するための電話番号を記憶する電話番号記憶部と、インターホン親機とインターホンコマンドで通信する一方、ホームゲートウェイとはインターホン用ＳＩＰで通信して、インターホンコマンドとインターホン用ＳＩＰを相互変換するコマンド変換手段を有し、ホームゲートウェイは、モニタ付電話端末の通信プロトコルが電話用ＳＩＰかインターホン用ＳＩＰかをモニタ付電話端末に対して通知する機能を有すると共に、モニタ付電話端末は、通信プロトコルが電話用ＳＩＰとインターホン用ＳＩＰとの双方の通信機能を有する一方、モニタ付電話端末は、通話路形成制御及び映像出画制御を行う応答制御手段を有し、インターホン子機から送信された呼出信号は、インターホン用ＳＩＰの呼出信号に変換されてモニタ付電話端末へ送信され、呼出信号を受信したモニタ付電話端末から返信された受信信号は、インターホン用ＳＩＰでＩＰ変換アダプタに返信され、受信信号を受けたＩＰ変換アダプタは、インターホン親機から送信されている呼出音、映像信号をモニタ付電話端末に送信し、呼出信号を受けたモニタ付電話端末の応答制御手段は、呼出音を鳴動させると共にモニタに映像を表示させることを特徴とする。
【０００６】
この構成によれば、インターホン用ＳＩＰで通信が可能な電話端末を用いれば、インターホン子機からの呼び出しに対して電話端末から応答することができる。そして、モニタ付電話端末を使用すればインターホン子機からの呼び出しに対して、応答操作を待たず呼出音に合わせて映像を表示させることができ、居住者はインターホン親機と同様に電話端末からでも誰が来ているのか応答前に把握することができる。
【０００７】
尚、インターホン用ＳＩＰとは、インターホン機器間での通信専用に使用されるＳＩＰ（Ｓｅｓｓｉｏｎ  Ｉｎｉｔｉａｔｉｏｎ  Ｐｒｏｔｏｃｏｌ）であり、電話用ＳＩＰとは電話において通常使用されている周知のＳＩＰを言う。
双方の違いは、電話用ＳＩＰでは呼出時に呼出元情報（電話番号等）が表示され、応答操作されると初めて映像を出画させるのであるのに対し、インターホン用ＳＩＰでは、インターホン動作に対応できるように独自に策定したＳＩＰであり、具体的には、玄関子機からの呼出時に玄関子機カメラで撮像した映像をいきなり呼出先の端末に表示させるようにしたものである。
【０００８】
請求項２の発明は、請求項１に記載の構成において、ホームゲートウェイは、モニタ付電話端末から他のモニタ付電話端末に対して呼出信号が送信されたら、送信先のモニタ付電話端末に対して電話用ＳＩＰを用いることを通知した後に呼出信号を送信し、送信先のモニタ付電話端末の応答制御手段は、呼出信号を受信したら呼出音を鳴動させると共に、呼出元のモニタ付電話端末の電話番号等の相手先情報を前記モニタに表示し、呼出信号に付随して映像信号が有る場合は、応答操作がなされた後に映像をモニタに表示する制御を行い、モニタ付電話端末同士は電話用ＳＩＰで通信が成されることを特徴とする。
この構成によれば、電話端末同士の通話の場合は、呼出時に相手先情報が表示されるので、居住者は映像が表示されなくても誰からの呼び出しであるかを把握することができる。また、応答前に映像が表示されないのでインターホンによる呼び出しではないことを認識できる。更に、応答操作後に映像が表示されるので、通話相手のプライバシーを保護できる。
【０００９】
請求項３の発明は、請求項１又は２に記載の構成において、モニタ付電話端末は、携帯電話であることを特徴とする。
この構成によれば、外出先からでも映像を見ながら来訪者と通話できるので、便利である。また、不審者に対しては、不在であると認識させずに済むので、防犯に有効となる。
【発明の効果】
【００１０】
本発明によれば、インターホン用ＳＩＰで通信が可能な電話端末を用いれば、インターホン子機からの呼び出しに対して電話端末から応答することができる。そして、モニタ付電話端末を使用すればインターホン子機からの呼び出しに対して、応答操作を待たず呼出音に合わせて映像を表示させることができ、居住者は電話端末からでも誰が来ているのか応答前に把握することができる。
【発明を実施するための最良の形態】
【００１１】
以下、本発明を具体化した実施の形態を、図面に基づいて詳細に説明する。図１は本発明に係るテレビインターホンシステムの一例を示し、１（１ａ，１ｂ）は玄関等の建物外部に設置され、居住者を呼び出して通話するためのインターホン子機、２はインターホン子機１からの呼び出しに応答するためのインターホン親機、３はインターホンコマンドをＩＰ変換するＩＰ変換アダプタ、４（４ａ，４ｂ）は公衆電話網（図示せず）を介して他の電話端末と通信が可能なモニタ付電話端末、５はＩＰ変換アダプタ３にモニタ付電話端末４を接続するためのホームゲートウェイ、６はＩＰネットワークＮを介して他の電話端末と通信を行うためのＳＩＰサーバ、７は携帯電話８と通信するための基地局である。
【００１２】
インターホン子機１は、来訪者を撮像するためのカメラ１１、来訪者が居住者を呼び出すための呼出ボタン１２、通話するためのマイク１３及びスピーカ１４を備えている。インターホン親機２は、インターホン子機１からの呼び出しに応答するための通話ボタン２１、マイク２２及びスピーカ２３、カメラ１１が撮像した映像を表示するモニタ２４を備え、インターホン子機１とインターホン親機２は伝送線Ｌ１で接続されている。そして、インターホン親機２は通信線Ｌ２でＩＰ変換アダプタ３に接続され、インターホンコマンドによる呼出信号や映像信号等が伝送される。尚、インターホンコマンドとは機器に応じて専用に設定された汎用性のないコマンドとなっている。
【００１３】
一方、ＩＰ変換アダプタ３は、インターホン親機２を介してインターホン子機１が呼出操作されたら、その呼出信号を所定のモニタ付電話端末４に送信するための電話番号記憶部３ａと、その際インターホン親機２から送信されたインターホンコマンドによる呼出信号を電話端末が受信可能なインターホン用ＳＩＰに変換するコマンド変換手段としてのＩＰ変換アダプタＣＰＵ３ｂを備えている。
また、ホームゲートウェイ５は、モニタ付電話端末４との通信プロトコルが電話用ＳＩＰかインターホン用ＳＩＰかをモニタ付電話端末４に対して通知する機能を有し、インターホン親機２から送信された呼出信号である場合は、インターホン用ＳＩＰを使用することを先ず通知し、その後インターホン用ＳＩＰによる呼出信号等を送信する。
【００１４】
そして、モニタ付電話端末４は、送信された映像情報を出画するためのモニタ１６、電話端末同士の通信で使用する電話用ＳＩＰに加えて、インターホン用ＳＩＰによる通信を可能とする応答制御手段としての電話端末ＣＰＵ１７を備えている。この電話端末ＣＰＵは、インターホン用ＳＩＰによる呼び出しを受けた場合は、呼出音の鳴動に合わせてモニタ１６に映像を表示させ、電話用ＳＩＰによる呼び出しを受けた場合は、呼出音の鳴動に合わせて呼出元の電話番号を表示し、応答操作後に映像をモニタに表示させる。
【００１５】
そして、ＩＰ変換アダプタ３はＬＡＮ等の通信線Ｌ３によりホームゲートウェイ５に接続されている。ホームゲートウェイ５は、住戸内のモニタ付電話端末４に通信線Ｌ４で接続され、更に携帯電話８等の外部電話端末とＩＰネットワークＮを介して通信するためのＳＩＰサーバ６に接続されている。
【００１６】
このように構成されたテレビインターホンシステムは以下のように動作する。先ず、インターホン子機１とインターホン親機２の間の動作を簡単に説明する。インターホン子機１の呼出ボタン１２が押下されると呼び出しが成され、インターホン親機２において呼出音が鳴動する。同時に、カメラ１１が撮像を開始し、撮像した来訪者映像がインターホン親機２に送信されてモニタ２４に表示される。こうして、呼出音に合わせて映像が表示され、呼出音を認識した居住者は、来訪者をモニタ２４により確認でき、通話ボタン２１を押下すれば、引き続き来訪者映像を見ながら応答することができる。
【００１７】
次に、インターホン子機１からの呼出に対して、モニタ付電話端末４で応答する場合の動作を説明する。図２は、この場合のシーケンス図を示し、この図２に基づいて説明する。
図２に示すように、インターホン子機１の呼出ボタン１２が押下されるとインターホン子機１からインターホン親機２に呼出信号（Ｓ１）が送信され、この信号を受けたインターホン親機２からＩＰ変換アダプタ３にインターホン専用のインターホンコマンドから成る呼出信号（Ｓ２）が送られる。
ＩＰ変換アダプタ３に送られたこの呼出信号は、ＩＰ変換アダプタＣＰＵ３ｂが電話番号記憶部３ａから呼出先の電話番号を読み取って電話端末を選択し、インターホン用ＳＩＰの呼出信号に変換してホームゲートウェイ５に送信（Ｓ３）される。尚、ここでは、接続されている２台のモニタ付電話端末４ａ，４ｂ、更にはＩＰネットワークＮを介して通信が可能な携帯端末８のうち、一方のモニタ付電話端末４ａに対して呼出信号が送信されるとする。
【００１８】
呼出信号を受けたホームゲートウェイ５は、インターホン用ＳＩＰで通信する旨を選択された一方のモニタ付電話端末４ａに通知した後、受信したインターホン用ＳＩＰの呼出信号（Ｓ４）を送信する。この信号を受信した一方のモニタ付電話端末４ａは、ホームゲートウェイ５を介してＩＰ変換アダプタ３にインターホン用ＳＩＰによる受信信号を返信（Ｓ５，Ｓ６）する。
【００１９】
この受信信号を受けたＩＰ変換アダプタ３は、インターホン親機２を介してインターホン子機１から送信されている映像信号を、呼出音（呼出信号）と合わせてホームゲートウェイ５を介して一方のモニタ付電話端末４ａへ送信（Ｓ７）する。こうして、片方向通話路及び映像路が形成され、モニタ付電話端末４ａは電話端末ＣＰＵ１７の制御で、呼出状態となると共に、モニタ１６にカメラ１１が撮像した来訪者映像が表示される。
【００２０】
この呼び出しを受けて、一方のモニタ付電話端末４ａが居住者等により応答操作されると、モニタ付電話端末４ａからインターホン用ＳＩＰの応答信号がホームゲートウェイ５を介してＩＰ変換アダプタ３に送られる（Ｓ８，Ｓ９）。この応答信号は、ＩＰ変換アダプタ３からインターホン親機２が受信可能なインターホンコマンドの応答信号に変換されて送信（Ｓ１０）され、インターホン親機２は通話路を形成する。こうして、インターホン子機１とモニタ付電話端末４ａ間で双方向通話路が形成され、通話状態となる（Ｓ１１）。
【００２１】
その後、通話状態を終了させる為にモニタ付電話端末４ａが終話操作されると、モニタ付電話端末４ａからインターホン用ＳＩＰの切断信号が送出され、ホームゲートウェイ５を介してＩＰ変換アダプタ３に送られる（Ｓ１２，Ｓ１３）。この切断信号はＩＰ変換アダプタＣＰＵ３ｂによって、インターホン親機２で受信可能なインターホンコマンドの切断信号に変換して送られ（Ｓ１４）る。同時にインターホン用ＳＩＰの完了信号が生成され、ホームゲートウェイ５を介してモニタ付電話端末４ａに送られ（Ｓ１５，Ｓ１６）、インターホン子機１とモニタ付電話端末４ａ間の通話路、映像路が切断される。こうして待受け状態に戻る。
【００２２】
このように、インターホン用ＳＩＰで通信が可能な電話端末を用いれば、インターホン子機からの呼び出しに対して電話端末から応答することができる。そして、モニタ付電話端末を使用すればインターホン子機からの呼び出しに対して、応答操作を待たず呼出音に合わせて映像を表示させることができ、居住者は電話端末からでも誰が来ているのか応答前に把握することができる。
【００２３】
尚、インターホン子機１と一方の電話端末４ａとの間の呼出・通話について説明したが、インターホン子機１と他方の電話端末４ｂとの間の呼出、通話についても同様の制御で実施される。また、インターホン親機２の制御により、通話状態であっても所定時間ｔ１が経過したら、或いは呼出状態が継続して所定時間ｔ２が経過した場合は、終話制御が実施され、上記電話端末４ａによる終話操作と同様の動作を経てインターホン子機１及びインターホン親機２は待受け状態となる。
【００２４】
次にモニタ付電話端末４同士で呼出・通話する場合の操作を説明する。図３はこのシーケンス図を示し、この図に基づいてモニタ付電話端末４同士の呼出・通話を説明する。
一方のモニタ付電話端末４ａで他方のモニタ付電話端末４ｂの呼出操作を行なうと、電話用ＳＩＰの呼出信号がホームゲートウェイ５に送信される（Ｓ１０１）。ホームゲートウェイ５では、電話用ＳＩＰが使用されていることを認識し、この電話用ＳＩＰの呼出信号を変更することなく、他方のモニタ付電話端末４ｂに送信する（Ｓ１０２）。
【００２５】
他方の電話端末４ｂの電話端末ＣＰＵ１７は、この電話用ＳＩＰの呼出信号を受信すると、電話用ＳＩＰの受信信号をホームゲートウェイ５を介して一方のモニタ付電話端末に送信する（Ｓ１０３，Ｓ１０４）。このとき、ホームゲートウェイ５は、一方のモニタ付電話端末４ａからの呼出音を他方の電話端末４ｂへ送信できるように、片方向通話路／映像路を形成し、他方のモニタ付電話端末４ｂを呼出状態とする（Ｓ１０５）。尚、図１において、モニタ付電話端末４には図示しないカメラが設けられているものとする。
そして、他方の電話端末４ｂの電話端末ＣＰＵ１７は、受信した呼出信号から呼出元の電話番号を読み取ってモニタ１６に表示する。
【００２６】
その後、他方のモニタ付電話端末４ｂで通話操作が行われると、他方のモニタ付電話端末４ｂからの電話用ＳＩＰの応答信号が送信され、ホームゲートウェイ５を介して一方のモニタ付電話端末４ａに送られる（Ｓ１０６，Ｓ１０７）。こうして、一方のモニタ付電話端末４ａと他方のモニタ付電話端末４ｂとの間で、映像の送信及び双方向通話（Ｓ１０８）を行うことができる。但し、映像信号が無い場合は、通話のみ実施される。
【００２７】
その後、他方のモニタ付電話端末４ｂで終話操作されると、電話用ＳＩＰの切断信号がホームゲートウェイ５を介して一方のモニタ付電話端末４ａに送られ（Ｓ１０９，Ｓ１１０）る。そして、一方のモニタ付電話端末４ａから電話用ＳＩＰの完了信号が返信され（Ｓ１１１，Ｓ１１２）、通話路、映像路が切断されて待受け状態に戻る。
【００２８】
このように、電話端末同士の通話の場合は、呼出時に相手先情報が表示されるので、居住者は映像が表示されなくても誰からの呼び出しであるかを把握することができる。また、応答前に映像が表示されないのでインターホンによる呼び出しではないことを認識できる。更に、応答操作後に映像が表示されるので、通話相手のプライバシーを保護できる。      
【００２９】
尚、上記実施形態は、同一住戸のインターホン子機１とモニタ付電話端末４と間の通信、及び住戸内の電話端末４ａ，４ｂ同士の通話について説明したが、ＩＰネットワークＮを使用することで外部の電話端末と通話路、映像路を同様に形成でき、モニタ付電話端末４を携帯電話８とすることができる。こうすれば外出先からでも映像を見ながら来訪者と通話でき便利であるし、不審者に対しては不在であると認識させずに済むので、防犯に有効となる。
更に、モニタ付電話端末４を使用した構成を説明したが、通話（応答）のみであればモニタ無し電話端末を上記システムに接続して使用できるのは勿論であるし、上記構成は集合住宅インターホンシステムにおいても容易に適用できる。
【図面の簡単な説明】
【００３０】
【図１】本発明に係るテレビインターホンシステムの一例を示す構成図である。
【図２】図１のインターホン子機とモニタ付電話端末の間の呼出・通話に関するシーケンス図である。
【図３】図１のモニタ付電話端末同士の呼出・通話に関するシーケンス図である。
【符号の説明】
【００３１】
１・・インターホン子機、２・・インターホン親機、３・・ＩＰ変換アダプタ、３ａ・・電話番号記憶部、３ｂ・・ＩＰ変換アダプタＣＰＵ（コマンド変換手段）、４（４ａ，４ｂ）・・モニタ付電話端末、５・・ホームゲートウェイ、８・・携帯電話、１６・・・モニタ、１７・・電話端末ＣＰＵ（応答制御手段）。
【図１】
2009182842.tif 000003
【図２】
2009182842.tif 000004
【図３】
2009182842.tif 000005